(57)【要約】【課題】住宅に備え付けた作動機器の不正操作を発生し難くすることができる住宅用電子キーシステムを提供する。【解決手段】住宅１に、ハンズフリーシステム４の起動を管理するハンズフリー起動システム１１を設ける。ハンズフリー起動システム１１の動作としては、操作者が検出部品１３に起動操作を加えると、検出部品１３がその起動操作に応じた被認証データＤkを起動制御ＥＣＵ１２に出力する。起動制御ＥＣＵ１２は、この被認証データＤkと、自身のメモリ１４に登録した認証データＤxとを比較し、操作者が本人か否かの本人認証を行う。起動制御ＥＣＵ１２は、これらデータが一致して認証が成立したと判定すると、スマートＥＣＵ６に起動許可信号Ｓkを出力する。スマートＥＣＵ６は、起動制御ＥＣＵ１２から起動許可信号Ｓkを入力すると、待機状態にあるハンズフリーシステム４を起動する。【選択図】図１
2007162310.tif 000002
【特許請求の範囲】
【請求項１】
住宅側に設置された通信制御ユニットが返信要求を発信し、当該返信要求を電子キーが受けると当該電子キーがキー固有の識別コードを前記通信制御ユニットに返信し、当該識別コードを受け付けた前記通信制御ユニットが、前記電子キーの前記識別コードと、前記住宅側に登録された識別コードとを照合し、当該照合が成立すれば、前記住宅に備え付けられた作動機器の作動を許可又は実行する非接触式電子キーコード照合機能を備えた住宅用電子キーシステムにおいて、
操作者による前記通信制御ユニットの起動操作を検出する検出手段と、
前記検出手段の検出信号に基づき、前記起動操作が正規の操作者による操作か否かの認証を行い、当該認証が成立すれば通信制御ユニットに前記非接触式電子キーコード照合機能を起動させる起動手段と
を備えたことを特徴とする住宅用電子キーシステム。
【請求項２】
前記通信制御ユニットが発信手段を介して前記返信要求を無線通信で発信し、当該返信要求を前記電子キーが受信すると、当該電子キーが無線通信を介して前記識別コードを返信し、前記通信制御ユニットが受信手段を介して前記識別コードを受信すると、当該通信制御ユニットが前記照合を行い、当該照合が成立すれば前記作動機器の作動を許可又は実行することを特徴とする請求項１に記載の住宅用電子キーシステム。
【請求項３】
前記検出手段は、前記操作者の生体情報を検出する生体情報検出手段であり、
前記起動手段は、前記生体情報を用いた生体認証によって、前記起動操作が正規の操作者による操作か否かを判定することを特徴とする請求項１又は２に記載の住宅用電子キーシステム。
【請求項４】
前記検出手段は、前記操作者が行う前記起動操作を撮影する撮影手段であり、
前記起動手段は、前記撮影手段で取得した前記起動操作の画像情報を基に、前記起動操作が正規の操作者による操作か否かを判定することを特徴とする請求項１又は２に記載の住宅用電子キーシステム。
【請求項５】
前記通信制御ユニットは、複数の前記電子キーとの間で前記照合を行い、これら複数の前記電子キーとの間で前記照合が成立したことを条件に、前記作動機器の作動を許可又は実行することを特徴とする請求項１〜４のうちいずれか一項に記載の住宅用電子キーシステム。
【発明の詳細な説明】
【技術分野】
【０００１】
本発明は、電子キーからキー固有の識別コードを照合用のデータとして非接触で取得し、その識別コードが作動機器側の識別コードと一致して識別照合が成立すれば、住宅備え付けの作動機器の各種動作が許可又は実行される住宅用電子キーシステムに関する。
【背景技術】
【０００２】
従来、電子キーとして携帯機を持ってドアに近づくとドアが自動で解錠され、携帯機がドアから離れるとドアが自動で施錠される電子キーシステムを、住宅のドアに適用した例が特許文献１，２等に開示されている。この種の電子キーシステムを住宅ドアに用いれば、住宅ドアの施解錠に際して実際のキー操作を行わずに済むことから、利便性が高くなるという利点がある。
【０００３】
この種の電子キーシステムを適用した住宅ドアにおいては、住宅ドアが施錠状態の際、住宅に設置された送信機（発信機）が自身の発信アンテナからリクエスト信号を発信して住宅ドア周辺に通信エリアを形成する。この通信エリア内に携帯機が入り込むと、携帯機がリクエスト信号に応答してキー固有のＩＤコードを住宅に返信する。このＩＤコードを住宅が受信レシーバで受け取ると、携帯機のＩＤコードと住宅に登録されたＩＤコードとを照合し、これらＩＤコードが一致して照合が成立すると、住宅ドアが解除状態となる。
【０００４】
また、住宅ドアを解錠操作して家人が室外に出る際、送信機が自身のアンテナからリクエスト信号発信を開始して住宅ドア周辺に通信エリアを形成する。このとき、家人が携帯機を所有していれば、この携帯機と住宅との間で通信が確立した状態となる。そして、住宅との間でＩＤコードの照合が成立している携帯機が発信機の通信エリアから通信エリア外に離脱し、携帯機と住宅との間で通信が確立しなくなると、住宅のドアが施錠状態となる。
【特許文献１】特開２００１−２４１２２７号公報
【特許文献２】特開２００５−６８８２２号公報
【発明の開示】
【発明が解決しようとする課題】
【０００５】
しかし、この種の電子キーシステムを適用した住宅ドアは、利便性が高い反面、落とした携帯機を悪意のある第三者に拾われたり、携帯機が盗難されたりした場合、携帯機を不正入手した第三者は、その携帯機で開けられる玄関はこれであると簡単に特定可能である。例えば、携帯機を不正に入手した第三者がマンションの各住宅ドア（玄関）を通行人に扮して歩けば、その携帯機に対応するドアのある玄関のところで施錠状態のドアが解錠状態となり、簡単に室内へ不正侵入される可能性が高い。また、これは、不自然な行動を伴わない動作で、不正に入手した携帯機で開けられるドアを見つけられることになり、住宅への不正進入を発生し難くするためにも、何らかの対応策が必要であった。
【０００６】
更に、施錠状態の住宅ドアの近くを住人が携帯機を持って通行すると、解錠する意志がないにも拘わらず住宅ドアが解錠されてしまい、住宅ドアを再施錠する必要が生じることから、住人にとっては煩わしさを感じる要因にもなる。また、これについては、住宅ドアが解錠状態の時にも言える。
【０００７】
本発明の目的は、住宅に備え付けた作動機器の不正操作を発生し難くすることができる住宅用電子キーシステムを提供することにある。
【課題を解決するための手段】
【０００８】
上記問題点を解決するために、本発明によれば、住宅側に設置された通信制御ユニットが返信要求を発信し、当該返信要求を電子キーが受けると当該電子キーがキー固有の識別コードを前記通信制御ユニットに返信し、当該識別コードを受け付けた前記通信制御ユニットが、前記電子キーの前記識別コードと、前記住宅側に登録された識別コードとを照合し、当該照合が成立すれば、前記住宅に備え付けられた作動機器の作動を許可又は実行する非接触式電子キーコード照合機能を備えた住宅用電子キーシステムにおいて、操作者による前記通信制御ユニットの起動操作を検出する検出手段と、前記検出手段の検出信号に基づき、前記起動操作が正規の操作者による操作か否かの認証を行い、当該認証が成立すれば通信制御ユニットに前記非接触式電子キーコード照合機能を起動させる起動手段と
を備えたことを要旨とする。
【０００９】
この構成によれば、作動機器を作動させる前段階においては、通信制御ユニット（即ち、非接触式電子キーコード照合機能）は待機状態となっている。この待機状態の非接触式電子キーコード照合機能を作動させる際には、操作者が検出手段に向かって起動操作を行い、その起動操作が検出手段によって検出される。このとき、起動手段は、検出手段の検出信号に基づき起動操作が正規の操作者による操作か否かの認証を行い、その起動操作が正規の操作者のものであれば認証成立と判定し、非接触式電子キーコード照合機能の作動を許可し、通信制御ユニットに非接触式電子キーコード照合機能を起動させる。
【００１０】
非接触式電子キーコード照合機能が起動の作動が許可されれば、住宅に設置された通信制御ユニットが返信要求を発信して、電子キーがその返信要求に応答して識別コードを通信制御ユニットに返信する動作が可能となる。そして、電子キーが発信した識別コードを通信制御ユニットが受けると、通信制御ユニットがこの識別コードに関して照合を行い、電子キーの識別コードが住宅側の識別コードと一致すれば作動機器の作動を許可又は実行する。
【００１１】
従って、作動機器を作動させるに際しては、非接触式電子キーコード照合機能を起動するための起動操作を行い、この起動操作における認証が成立すれば非接触式電子キーコード照合機能が起動する。よって、例えば電子キーを拾ったり或いは電子キーを盗み出したりして作動機器を作動させようとしても、起動操作時における認証が成立しなければ非接触式電子キーコード照合機能は起動しないことから、ただ単に電子キーを拾ったり盗み出したりするだけでは、作動機器を作動させることができない。このため、本発明のように、起動操作時における認証成立を条件として非接触式電子キーコード照合機能が起動を開始するようにすれば、作動機器が第三者によって不正操作される状況が生じ難くなる。
【００１２】
本発明によれば、前記通信制御ユニットが発信手段を介して前記返信要求を無線通信で発信し、当該返信要求を前記電子キーが受信すると、当該電子キーが無線通信を介して前記識別コードを返信し、前記通信制御ユニットが受信手段を介して前記識別コードを受信すると、当該通信制御ユニットが前記照合を行い、当該照合が成立すれば前記作動機器の作動を許可又は実行することを要旨とする。
【００１３】
この構成によれば、住宅に設置された通信制御ユニットが返信要求を発信して、電子キーがその返信要求に応答して識別コードを通信制御ユニットに返信する動作が、無線通信による信号のやり取りで行われる。従って、例えば作動機器に近づいたり離れたりするだけで作動機器を作動させるような処理を実行することが可能となる。
【００１４】
本発明によれば、前記検出手段は、前記操作者の生体情報を検出する生体情報検出手段であり、前記起動手段は、前記生体情報を用いた生体認証によって、前記起動操作が正規の操作者による操作か否かを判定することを要旨とする。
【００１５】
この構成によれば、生体認証という認証性の高い方法で、起動操作が正規の操作者によるものか否かを判定することが可能となり、起動操作時における認証に関して誤認証発生防止に効果が高い。
【００１６】
本発明によれば、前記検出手段は、前記操作者が行う前記起動操作を撮影する撮影手段であり、前記起動手段は、前記撮影手段で取得した前記起動操作の画像情報を基に、前記起動操作が正規の操作者による操作か否かを判定することを要旨とする。
【００１７】
この構成によれば、撮影手段で取得した撮影画像を用いるという認証性の高い方法で、起動操作が正規の操作者によるものか否かを判定することが可能となり、起動操作時における認証に関して誤認証発生防止に効果が高い。
【００１８】
本発明によれば、前記通信制御ユニットは、複数の前記電子キーとの間で前記照合を行い、これら複数の前記電子キーとの間で前記照合が成立したことを条件に、前記作動機器の作動を許可又は実行することを要旨とする。
【００１９】
この構成によれば、複数の電子キーとの間で照合が成立しないと、作動機器の作動が許可又は実行されないことから、１つの電子キーでは作動機器を作動させることができないことになる。よって、重要な作動機器に関しては、作動許可に必要な照合成立を例えば２重、３重とすることによって、防犯性を高く設定することが可能となる。
【発明の効果】
【００２０】
本発明によれば、住宅に備え付けた作動機器の不正操作を発生し難くすることができる。
【発明を実施するための最良の形態】
【００２１】
以下、本発明を具体化した住宅用電子キーシステムの一実施形態を図１〜図４に従って説明する。
図１に示すように、住宅１のドア２には、電気で作動して同ドア２を施解錠する電気錠（電動ドアロック）３が配設されている。電気錠３は、デッドボルトを駆動モータ（共に図示略）で動かすモータ式であって、駆動モータが一方向に回転してデッドボルトが住宅１の壁部１ａに係止すると施錠状態となり、駆動モータが他方向に回転してデッドボルトがドア２内に引き込まれると解錠状態となる。なお、電気錠３が作動機器に相当する。
【００２２】
住宅１には、住宅キーを持ってドア２に近づくと自動でドアロックが解除され、住宅キーを持ってドアから離れると自動でドアロックが施錠されるハンズフリーシステム４が搭載されている。このハンズフリーシステム４は、住宅キーである携帯機５が、住宅１から発信されるＬＦ帯域のリクエスト信号Ｓrqを受信すると、それに応答して自身の住宅キーＩＤコードを乗せたＲＦ帯域の住宅キーＩＤコード信号Ｓidを返信し、そのＩＤコードが住宅１側の住宅キーＩＤコードと一致して照合が成立したことを条件に、電気錠３の施解錠を行うシステムである。なお、ハンズフリーシステム４が非接触式電子キーコード照合機能に相当し、リクエスト信号Ｓrqが返信要求に相当し、住宅キーＩＤコード信号Ｓidが識別コードに相当する。
【００２３】
住宅１には、携帯機５との間で無線通信によるＩＤ照合を行うスマートＥＣＵ(Electronic Control Unit：以下同様)６が搭載されている。スマートＥＣＵ６には、例えばEEPROMから成るメモリ７が配設され、このメモリ７に住宅１側の住宅キーＩＤコードが記憶されている。スマートＥＣＵ６には、電気錠３の施解錠を制御するドアＥＣＵ８が接続されている。なお、携帯機５が電子キーに相当し、スマートＥＣＵ６が通信制御ユニットに相当する。
【００２４】
スマートＥＣＵ６には、ＬＦ帯域の信号を送信可能なＬＦ送信機９が接続されている。ＬＦ送信機９は、例えば住宅１の壁部１ａやドア２などに埋設されるものであって、スマートＥＣＵ６から入力したＬＦ送信データを基にリクエスト信号Ｓrqを生成し、このリクエスト信号Ｓrqを自身の送信アンテナ９ａからドア２の周辺に発信する。
【００２５】
スマートＥＣＵ６には、携帯機５からＲＦ帯域の信号で出力される住宅キーＩＤコード信号Ｓidを受信可能なＲＦ受信機１０が接続されている。ＲＦ受信機１０は、ＬＦ送信機９と同じように例えば住宅１の壁部１ａやドア２などに埋設されるものであって、携帯機５から発信される住宅キーＩＤコード信号Ｓidを自身の受信アンテナ１０ａで受信すると、その住宅キーＩＤコード信号Ｓidに増幅や復調等の処理を施してスマートＥＣＵ６に転送する。なお、ＬＦ送信機９が発信手段に相当し、ＲＦ受信機１０が受信手段に相当する。
【００２６】
電気錠３が施錠状態の際、スマートＥＣＵ６は、ＬＦ送信機９の送信アンテナ９ａからリクエスト信号Ｓrqを常時発信し、ドア２の周辺に通信エリアを形成する。この通信エリアに携帯機５が入り込むと、携帯機５とＬＦ送信機９との間で通信が確立し、携帯機５がリクエスト信号Ｓrqに応答する形で、自身が持つ住宅キーＩＤコード信号Ｓidを住宅１に返信する。
【００２７】
スマートＥＣＵ６は、携帯機５から発信された住宅キーＩＤコード信号ＳidをＲＦ受信機１０で受信すると、携帯機５の住宅キーＩＤコードと、自身のメモリ７に登録された住宅キーＩＤコードとを比較することによってＩＤ照合を実施する。スマートＥＣＵ６は、これら住宅キーＩＤコードが一致してＩＤ照合が成立したと判定すると、ドアＥＣＵ８にドアアンロック要求信号を出力する。ドアＥＣＵ８は、スマートＥＣＵ６からドアアンロック要求信号を入力すると、電気錠３の駆動モータを例えば正転させて電気錠３を解錠状態にする。
【００２８】
一方、スマートＥＣＵ６は、携帯機５が通信エリア内にあると認識している状態から、携帯機５が通信エリア外に離脱して携帯機５から住宅キーＩＤコード信号Ｓidを受信しなくなると、ドアＥＣＵ８にドアロック要求信号を出力する。ドアＥＣＵ８は、スマートＥＣＵ６からドアロック要求信号を入力すると、電気錠３の駆動モータを例えば逆転させて電気錠３を施錠状態にする。
【００２９】
また、住宅１には、入室者に対して本人認証を行わせ、この認証が成立したことを条件に待機状態のハンズフリーシステム４の起動を許可するハンズフリー起動システム１１が配設されている。これを以下に説明すると、スマートＥＣＵ６には、ハンズフリー起動システム１１を統括制御する起動制御ＥＣＵ１２が接続されている。起動制御ＥＣＵ１２には、各種スイッチやセンサ類から成る検出部品１３が接続されている。検出部品１３は、ハンズフリーシステム４を起動する際に操作者が行う起動操作を検出し、その起動操作時に取得した被認証データＤkを起動制御ＥＣＵ１２に出力する。なお、被認証データＤkが検出信号に相当する。
【００３０】
起動制御ＥＣＵ１２には、例えばEEPROMから成るメモリ１４が内蔵されている。このメモリ１４には、ハンズフリーシステム起動用の認証データＤxが登録されている。この認証データＤxは、検出部品１３から入力した被認証データＤkがこれと一致すれば、起動操作を行った操作者が、入退室を許可してもよい正規の者であると判定し得るデータである。起動制御ＥＣＵ１２は、検出部品１３から被認証データＤkを入力すると、この被認証データＤkとメモリ１４内の認証データＤxとを比較することによって本人認証を実施し、これらデータが一致して本人認証が成立したと判定すると、スマートＥＣＵ６に起動許可信号Ｓkを出力する。
【００３１】
スマートＥＣＵ６は、ハンズフリーシステム４が待機状態の際、この起動許可信号Ｓkを入力するとハンズフリーシステム４の起動を開始し、ＬＦ送信機９からリクエスト信号Ｓrqの発信動作を開始し、携帯機５がＬＦ送信機９の通信エリア内にあれば携帯機５との間でＩＤ照合を行う。スマートＥＣＵ６は、電気錠３が解錠状態の時、携帯機５がドア２から遠ざかって通信エリアから離脱すると電気錠３を施錠状態にするが、このときＬＦ送信機９からのリクエスト信号Ｓrqの発信も停止する。なお、起動制御ＥＣＵ１２が起動手段に相当し、検出部品１３が検出手段に相当する。
【００３２】
ここで、起動操作の認証方式は、図２（ａ）〜（ｇ）に示すような様々なパターンを用いることが可能である。まず、図２（ａ）に示すように、起動操作の認証方法がテンキーによる操作パターンモード入力の場合、検出部品１３には、例えば「０」〜「９」までのボタンを有するテンキー１５が採用される。また、起動制御ＥＣＵ１２のメモリ１４には、認証データＤxとして暗証番号データＤxaが登録されている。待機状態のハンズフリーシステム４を起動する際、キー所有者は数字列をテンキー１５で打ち込み、この打ち込んだ数字列データＤkaが被認証データＤkとして起動制御ＥＣＵ１２に出力される。数字列データＤkaを入力した起動制御ＥＣＵ１２は、この数字列データＤkaとメモリ１４内の暗証番号データＤxaとを比較してデータ認証を行い、これらデータが一致してデータ認証が成立すると起動許可信号ＳkをスマートＥＣＵ６に出力し、スマートＥＣＵ６にハンズフリーシステム４を起動させる。
【００３３】
図２（ｂ）に示すように、起動操作の認証方法がキー所有者の指紋認証の場合、検出部品１３には、キー所持者の指などの指紋を検出可能な指紋センサ１６が採用される。また、起動制御ＥＣＵ１２のメモリ１４には、認証データＤxとして指紋データＤxbが登録されている。待機状態のハンズフリーシステム４を起動する際、キー所有者は指紋センサ１６の検知面を指等で触れ、この時に取得した被指紋データＤkbが被認証データＤkとして起動制御ＥＣＵ１２に送られる。起動制御ＥＣＵ１２は、この被指紋データＤkbと自身のメモリ１４に登録された指紋データＤxbとが一致してデータ認証が成立したと判定すると、ハンズフリーシステム４の起動を許可する。なお、指紋センサ１６が生体情報検出手段に相当し、被指紋データＤkbが生体情報に相当する。
【００３４】
図２（ｃ）に示すように、起動操作の認証方法がキー所有者の静脈パターン認証の場合、検出部品１３には、キー所有者の静脈パターンを検出可能な静脈センサ１７が採用される。また、起動制御ＥＣＵ１２のメモリ１４には、認証データＤxとして静脈パターンデータＤxcが登録されている。待機状態のハンズフリーシステム４を起動する際、キー所有者は静脈センサ１７の検知面に人体の一部を当て、このときに取得した被静脈パターンデータＤkcが被認証データＤkとして起動制御ＥＣＵ１２に送られる。起動制御ＥＣＵ１２は、この被静脈パターンデータＤkcと自身のメモリ１４に登録された静脈パターンデータＤxcとが一致してデータ認証が成立したと判定すると、ハンズフリーシステム４の起動を許可する。なお、静脈センサ１７が生体情報検出手段に相当し、被静脈パターンデータＤkcが生体情報に相当する。
【００３５】
図２（ｄ）に示すように、起動操作の認証方法が隠しスイッチ操作の場合、検出部品１３には、普段は見えない隠し位置に配置された隠しスイッチ１８が採用される。待機状態のハンズフリーシステム４を起動する際、キー所有者は普段見えない場所にある隠しスイッチ１８をオン操作する。起動制御ＥＣＵ１２は、隠しスイッチ１８から被認証データＤkとしてオン信号Ｄkdを入力すると、正規の操作者によって起動操作が行われたと認識し、ハンズフリーシステム４の起動を許可する。
【００３６】
図２（ｅ）に示すように、起動操作の認証方法がスイッチの操作パターンモード入力の場合、検出部品１３には、オン／オフの切り換え操作が可能な少なくとも１以上の操作スイッチ１９が採用される。また、起動制御ＥＣＵ１２のメモリ１４には、認証データＤxとして操作パターン基準データＤxeが登録されている。待機状態のハンズフリーシステム４を起動する際、キー所有者は操作スイッチ１９を予め決められた操作順及び操作回数で操作し、この時の操作パターンデータＤkeが被認証データＤkとして起動制御ＥＣＵ１２に送られる。この操作パターンの例としては、例えば操作スイッチ１９が２つある場合、一方の操作スイッチを２回押し、他方の操作スイッチを３回押すなどのパターンがある。起動制御ＥＣＵ１２は、この操作パターンデータＤkeと自身のメモリ１４に登録された操作パターン基準データＤxeとが一致してデータ認証が成立したと判定すると、ハンズフリーシステム４の起動を許可する。
【００３７】
図２（ｆ）に示すように、起動操作の認証方法が顔認証の場合、検出部品１３には、ドア２の外に居るキー所有者を撮影可能なカメラ２０が採用される。また、起動制御ＥＣＵ１２のメモリ１４には、認証データＤxとしてキー所有者の顔画像データＤxfが登録されている。待機状態のハンズフリーシステム４を起動する際、キー所有者がカメラ２０の撮影領域に入ると、キー所有者の顔画像を移した画像データＤkfが被認証データＤkとして起動制御ＥＣＵ１２に送られる。起動制御ＥＣＵ１２は、この画像データＤkfに含まれる顔画像と、自身のメモリ１４に登録された顔画像データＤxfの顔画像とが一致してデータ認証が成立したと判定すると、ハンズフリーシステム４の起動を許可する。なお、カメラ２０が撮影手段に相当し、画像データＤkfが画像情報に相当する。
【００３８】
図２（ｇ）に示すように、起動操作の認証方法が、上述したカメラ２０による特定動作パターン入力の場合、起動制御ＥＣＵ１２のメモリ１４には、認証データＤxとして動作パターン基準データＤxgが登録されている。この動作パターン基準データＤxgは、例えば手または頭の動きや、顔の仕草などを撮影した画像データである。待機状態のハンズフリーシステム４を起動する際、キー所有者はカメラ２０の撮影領域に入り込み、手や顔などを動かして動作パターンをカメラ２０に撮影させる。起動制御ＥＣＵ１２は、カメラ２０から入力した画像データＤkfからキー所有者の動作パターンを抽出し、この動作パターンが動作パターン基準データＤxgの動作パターンと一致してデータ認証が成立したと判定すると、ハンズフリーシステム４の起動を許可する。
【００３９】
次に、本例の住宅用電子キーシステムの動作を説明する。
ドア２が施錠状態のときに際しては、スマートＥＣＵ６はハンズフリーシステム４を待機状態とし、ＬＦ送信機９からリクエスト信号Ｓrqを発信しない状態となる。よって、携帯機５を持ってただ単にドア２に近づいても、ドア２の電気錠３は解錠されない。携帯機５を持ったキー所有者が住宅１に入室する場合、まず最初にキー所有者は検出部品１３に対して起動操作を加える。このとき、検出部品１３は、キー所有者が行う起動操作を検出し、その起動操作に基づく被認証データＤkを起動制御ＥＣＵ１２に出力する。
【００４０】
起動制御ＥＣＵ１２は、検出部品１３から被認証データＤkを入力すると、この被認証データＤkと、自身のメモリ１４に登録された認証データＤxとを比較してデータ認証を行う。起動制御ＥＣＵ１２は、これらデータが一致してデータ照合が成立したと判定すると、スマートＥＣＵ６に起動許可信号Ｓkを出力する。
【００４１】
スマートＥＣＵ６は、起動制御ＥＣＵ１２から起動許可信号Ｓkを入力するとハンズフリーシステム４の起動を開始し、ＬＦ送信機９からリクエスト信号Ｓrqの発信を開始する。携帯機５は、このリクエスト信号Ｓrqを受信すると、それに応答して住宅キーＩＤコード信号Ｓidを返信する。スマートＥＣＵ６は、ＲＦ受信機１０で住宅キーＩＤコード信号Ｓidを受信すると、携帯機５の住宅キーＩＤコードと、自身のメモリ７に登録された住宅キーＩＤコードとを比較してＩＤ照合を行う。スマートＥＣＵ６は、これらＩＤコードが一致してＩＤ照合が成立したと判定すると、電気錠３を解錠してドアロックを解除する。
【００４２】
続いて、キー所有者がドア２を開けて住宅１内に入室し、ドア２の内側から電気錠３を施錠状態にしたとする。このとき、スマートＥＣＵ６は、電気錠３の施錠を例えばドアロックスイッチ等の検出信号により検出すると、ハンズフリーシステム４を待機状態にし、リクエスト信号Ｓrqの送信を停止する。
【００４３】
また、家人が外出するに際して、ドア２の内側から電気錠３を解錠したとする。このとき、スマートＥＣＵ６は、電気錠３の解錠を例えばドアアンロックスイッチ等の検出信号により検出すると、待機状態のハンズフリーシステム４の起動を再開させ、ＬＦ送信機９からリクエスト信号Ｓrqの発信を開始する。キー所有者が室外に出た際、携帯機５がＬＦ送信機９の通信エリア内にあれば、携帯機５とスマートＥＣＵ６との間で通信が確立した状態となる。そして、キー所有者がドア２から遠ざかってＬＦ送信機９の通信エリアから離脱すると、スマートＥＣＵ６は電気錠３を施錠し、この動作と共にリクエスト信号Ｓrqの発信も停止してハンズフリーシステム４を再び待機状態にする。
【００４４】
従って、本例において住宅１内に入室するに際しては、ハンズフリーシステム４の起動操作を行って本人認証を実施し、この認証が成立すればハンズフリーシステム４が起動して、携帯機５で住宅１内へ入室することが可能となる。よって、例えば携帯機５を拾ったり或いは盗み出したりして住宅１内へ侵入しようとしても、本人認証を行ってハンズフリーシステム４を起動させないと、電気錠３を解錠することができない。このため、本例のように本人認証成立を条件にハンズフリーシステム４を起動するようにすれば、その起動操作を知らないとハンズフリーシステム４を起動できないことから、携帯機５を持っていてもドア２を解錠できず、第三者による住宅１内への不正侵入を発生し難くすることが可能となる。
【００４５】
また、図３に示すように、ハンズフリー起動システム１１にオンオフ切換式の切換スイッチ２１を配設し、この切換スイッチ２１からのスイッチ信号を見て、ハンズフリー起動システム１１の有効無効を切り換え可能としてもよい。起動制御ＥＣＵ１２は、切換スイッチ２１からオン信号を受け付けるとハンズフリー起動システム１１を有効とし、ハンズフリーシステム４に制限を加える。よって、ハンズフリー起動システム１１が有効の場合には、起動操作における本人認証が成立しないと、ハンズフリーシステム４が起動しない。
【００４６】
一方、起動制御ＥＣＵ１２は、切換スイッチ２１からオフ信号を受け付けるとハンズフリー起動システム１１を無効とし、本人認証成立に関係なく起動許可信号ＳkをスマートＥＣＵ６に出力し、ハンズフリーシステム４に制限を加えない。よって、ハンズフリー起動システム１１が無効の場合には、通常のハンズフリーシステムと同じように、住宅１側の住宅キーＩＤコードとコードが一致する携帯機５さえ所持していれば、ドア２の施解錠が可能となる。
【００４７】
また、図４に示すように、ハンズフリーシステム４は、複数の携帯機５，５…との間でＩＤ照合が成立することを条件にドア２の施解錠を許可する多重式であってもよい。例えば、ＩＤ照合が２重式の場合、スマートＥＣＵ６のメモリ７には、第１の住宅キーＩＤコードと第２の住宅キーＩＤコードとの２コードが登録される。そして、第１携帯機５ａとの間で第１の住宅キーＩＤコードの照合が成立し、それに加え第２携帯機５ｂとの間で第２の住宅キーＩＤコードの照合が成立すれば、ドア２の施解錠が可能となる。この場合、複数の携帯機５を用意しないとドア２を施解錠できないので、第三者による住宅１内への不正侵入防止に対して効果が高い。
【００４８】
更に、この種の認証（照合）を多重式とする方法は、ハンズフリーシステム４に限らず、本例のハンズフリー起動システム１１に採用されてもよい。例えば、ドア２にテンキー１５及び指紋センサ１６の両方を配設し、テンキー１５で打ち込んだ暗証番号と、指紋センサ１６で取得する指紋データとの両方が住宅１側のものと一致することを条件に、ハンズフリーシステム４の起動を許可してもよい。
【００４９】
本実施形態の構成によれば、以下に記載の効果を得ることができる。
（１）住宅１にハンズフリー起動システム１１を設け、このハンズフリー起動システム１１で本人認証が成立したことを条件に、ハンズフリーシステム４の起動を許可する。従って、携帯機５を拾ったり盗み出したりしても、ハンズフリー起動システム１１で本人認証が成立しなければドア２を施解錠できないので、第三者による住宅１内への不正侵入を発生し難くすることができる。
【００５０】
（２）ハンズフリー起動システム１１の認証方式が指紋認証や静脈パターン認証などの生体認証である場合、この種の生体認証は偽造行為が行われ難いことから、第三者がハンズフリーシステム４を不正に起動させてしまうような状況になり難く、第三者の不正侵入防止に対して非常に効果が高い。
【００５１】
（３）ハンズフリー起動システム１１の認証方式が、カメラ２０の画像データＤkfを用いた顔認証や、カメラ２０による特定動作パターン入力の場合、この種の画像データＤkfを用いた本人認証は偽造行為が行われ難いことから、第三者よるハンズフリーシステム４の不正起動防止に効果が高い。よって、この場合においても、生体認証の時と同じように、第三者が住宅１内に不正侵入する状況を発生し難くすることができる。
【００５２】
（４）ハンズフリー起動システム１１に切換スイッチ２１を設ければ、ハンズフリー起動システム１１による作動制限を加えるか否かを選択することができる。よって、切換スイッチ２１をオフ操作してハンズフリー起動システム１１を無効状態とすれば、起動操作を行わなくてもドア２を施解錠することができる。
【００５３】
（５）ハンズフリーシステム４を多重式とした場合、複数の携帯機５を用意しないとドア２を施解錠できないことから、第三者による住宅１内への不正侵入を一層生じ難くすることができる。また、ハンズフリーシステム４が多重式の場合、携帯機５との間でハンズフリーシステム４が行う照合レベルは非常に高いことから、ハンズフリー起動システム１１の認証レベルを若干下げたとしても、全体で見たセキュリティレベルは高いものとみなせる。よって、ハンズフリーシステム４を多重式とすれば、操作者にとっては本来面倒な操作である起動操作を簡略化しても、入退室における全体のセキュリティレベルは落ちず、起動操作時における操作者の操作負荷軽減と、不正侵入に対するセキュリティレベルの確保との両立を図ることができる。
【００５４】
（６）ハンズフリー起動システム１１を多重式とした場合、複数項目で本人認証が成立しないとハンズフリーシステム４が起動しないので、ハンズフリーシステム４の不正な起動許可を行わずに済む。
【００５５】
なお、本実施形態は上記構成に限定されず、以下の態様に変更してもよい。
・  起動制御ＥＣＵ１２のメモリ１４に登録された認証データＤxは、ユーザが適宜自由に更新可能である。このデータ更新の一例としては、例えば専用のデータ書込装置を起動制御ＥＣＵ１２に接続し、書込装置から起動制御ＥＣＵ１２に認証データＤxを転送することで、メモリ１４の認証データＤxを更新する方法がある。
【００５６】
・  住宅キーＩＤコード信号Ｓidを発信する通信端末は、住宅キーとして用いられる携帯機５に限定されない。例えば、この種の住宅キーＩＤコード信号Ｓidの発信機能を携帯電話や腕時計などに内蔵し、これら携帯電話や腕時計を住宅キーとして用いてもよい。
【００５７】
・  ハンズフリーシステム４は、施錠状態のドア２に近づくと電気錠３が自動で解錠し、解錠状態のドア２から離れると電気錠３が自動で施錠されるシステムに限定されない。例えば、ドア２のノブにロック解除用のタッチセンサを設け、ドア２のノブ近辺にロック用のロックボタンを設ける。そして、携帯機５とスマートＥＣＵ６との間でＩＤ照合が成立するとドアＥＣＵ８が作動許可状態となり、この状態においてノブへのタッチ操作をタッチセンサで検出すると、施錠状態の電気錠３が解除状態となり、ロックボタンのボタン操作を検出すると、解錠状態の電気錠３が施錠状態となるものでもよい。
【００５８】
・  携帯機５とスマートＥＣＵ６との間の通信形式は、ＬＦ送信機９がリクエスト信号ＳrqをＬＦ帯域の信号で発信し、携帯機５が住宅キーＩＤコード信号ＳidをＲＦ帯域の信号で返信する形式に限定されない。例えば、スマートＥＣＵ６側から駆動電波が発信され、その駆動電波を携帯機５が受けると携帯機５が起動を開始し、駆動電波に応答する形で自身の住宅キーＩＤコードを返信する通信形式でもよい。
【００５９】
・  ハンズフリーシステム４は、必ずしも無線通信を介した信号のやり取りによって住宅キー側のＩＤコードを住宅に送る方式に限定されない。例えば、人体を通信媒体とする生体通信によって、携帯機５の住宅キーＩＤコードを住宅１側に送るシステムを採用してもよい。
【００６０】
・  作動機器は、住宅１のドア２の電気錠３に限らず、例えば住宅１内に置かれた金庫の電気錠などの住宅１内に存在する機器であれば、その機器としては特に限定されないこととする。
【００６１】
次に、上記実施形態及び別例から把握できる技術的思想について、それらの効果とともに以下に追記する。
（１）請求項４又は５において、前記検出手段は、前記操作者が前記起動操作として行う人体の動きを撮影する撮影手段であり、前記起動手段は、前記撮影手段で取得した画像情報から前記人体の動きパターンを見ることによって、前記起動操作が正規の操作者による操作か否かを判定する。この場合においても、撮影手段で取得した撮影画像から人体の動きパターンを見るという認証性の高い方法で、起動操作が正規の操作者によるものか否かを判定することが可能となる。
【図面の簡単な説明】
【００６２】
【図１】一実施形態における住宅用電子キーシステムの概略を示す構成図。
【図２】（ａ）〜（ｇ）はハンズフリー起動システムの構成例を列挙したブロック図。
【図３】他のハンズフリー起動システムの構成例を示すブロック図。
【図４】他の住宅用電子キーシステムの概略を示す構成図。
【符号の説明】
【００６３】
１…住宅、３…作動機器としての電気錠、４…非接触式電子キーコード照合機能としてのハンズフリーシステム、５…電子キーとしての携帯機、６…通信制御ユニットとしてのスマートＥＣＵ、９…発信手段としてのＬＦ送信機、１０…受信手段としてのＲＦ受信機、１２…起動手段としての起動制御ＥＣＵ、１３…検出手段としての検出部品、１６…生体情報検出手段を構成する指紋センサ、１７…生体情報検出手段を構成する静脈センサ、２０…撮影手段としてのカメラ、Ｓrq…返信要求としてのリクエスト信号、Ｓid…識別コードとしての住宅キーＩＤコード信号、Ｄkb…生体情報を構成する被指紋データ、Ｄkc…生体情報を構成する被静脈パターンデータ、Ｄfk…画像情報としての画像データ。
【図１】
2007162310.tif 000003
【図２】
2007162310.tif 000004
【図３】
2007162310.tif 000005
【図４】
2007162310.tif 000006